(57)【要約】【課題】表示媒体に書き込まれた画像が現実に書き換えられたかどうかを特定する。【解決手段】制御部１１０は、画像書き換えの処理が行われているときに、振動センサ部１７０が表示媒体２００の振動を検知したか否かを判定する。振動センサ部１７０が表示媒体２００の振動を検知した場合には、制御部１１０は、振動センサ部１７０が検知した振動の波形から、外乱用振動センサ部１７２が検知した振動の波形を減算する。そして、制御部１１０は、その減算して得た波形が、記憶部１６０に記憶されている波形と一致するか否かを判定する。この結果、両者が一致すれば、画像の書き換えが現実に行われたことになるから、制御部１１０は、画像書き換え前に表示媒体２００に表示されていた画像が消去されたことを示す消去フラグを、記憶部１６０の管理テーブル１６２に書き込む。【選択図】図２
2010078913.tif 000002
【特許請求の範囲】
【請求項１】
決められた波形の電圧を表示媒体に印加する印加手段と、
前記表示媒体において発生した振動の波形を取得する第１の取得手段と、
前記印加手段によって印加される電圧の波形に応じて決められた振動の波形を記憶する第１の記憶手段と、
前記第１の取得手段によって取得された波形と、前記第１の記憶手段に記憶されている波形との差分が閾値以内であれば、前記表示媒体に書き込まれていた画像が書き換えられたことを記憶する第２の記憶手段と、
を備えることを特徴とする画像入力検知装置。
【請求項２】
前記第２の記憶手段が、
前記表示媒体に画像を書き込む書込装置において発生した振動の波形を取得する第２の取得手段を備え、
前記第１の取得手段によって取得された波形から前記第２の取得手段によって取得された波形を減算して得た波形と、前記第１の記憶手段に記憶されている波形との差分が閾値以内であれば、前記表示媒体に書き込まれていた画像が書き換えられたことを記憶する
ことを特徴とする請求項１記載の画像入力検知装置。
【請求項３】
前記第２の記憶手段が、
各々の画像情報と、当該画像情報に応じた画像を前記表示媒体において書き換えたことを特定するか否かを表す特定可否情報とを対応付けて記憶しており、
前記表示媒体に書き込まれている画像が、画像を書き換えたことを特定することを表す前記特定可否情報に対応付けて記憶されており、当該画像が書き換えられた場合には、当該画像が書き換えられたことを記憶する
ことを特徴とする請求項１又は２記載の画像入力検知装置。
【請求項４】
前記表示媒体に書き込まれていた画像が書き換えられた場合に、当該画像が書き換えられたことを出力する出力手段を備えることを特徴とする請求項１〜３のいずれか１項に記載の画像入力検知装置。
【請求項５】
コンピュータを、
決められた波形の電圧を表示媒体に印加する印加手段と、
前記表示媒体において発生した振動の波形を取得する第１の取得手段と、
前記印加手段によって印加される電圧の波形に応じて決められた波形を記憶する第１の記憶手段と、
前記第１の取得手段によって取得された波形と、前記第１の記憶手段に記憶されている波形との差分が閾値以内であれば、前記表示媒体に書き込まれていた画像が書き換えられたことを記憶する第２の記憶手段と
して機能させるためのプログラム。
【発明の詳細な説明】
【技術分野】
【０００１】
本発明は、画像入力検知装置及びプログラムに関する。
【背景技術】
【０００２】
特許文献１には、光書込型の表示媒体に対して光を照射するとともに電圧を印加することにより、その表示媒体に画像を書き込む技術が開示されている。
【特許文献１】特開２００７−２９９０１６号公報
【発明の開示】
【発明が解決しようとする課題】
【０００３】
本発明は、表示媒体に対する電圧印加に応じた振動と、それ以外の振動とを区別することを目的とする。
【課題を解決するための手段】
【０００４】
上記課題を解決するため、請求項１に係る発明は、決められた波形の電圧を表示媒体に印加する印加手段と、前記表示媒体において発生した振動の波形を取得する第１の取得手段と、前記印加手段によって印加される電圧の波形に応じて決められた波形を記憶する第１の記憶手段と、前記第１の取得手段によって取得された波形と、前記第１の記憶手段に記憶されている波形との差分が閾値以内であれば、前記表示媒体に書き込まれていた画像が書き換えられたことを記憶する第２の記憶手段と、を備えることを特徴とする画像入力検知装置を提供する。
【０００５】
また、請求項２に係る発明は、請求項１記載の構成において、前記第２の記憶手段が、前記表示媒体に画像を書き込む書込装置において発生した振動の波形を取得する第２の取得手段を備え、前記第１の取得手段によって取得された波形から前記第２の取得手段によって取得された波形を減算して得た波形と、前記第１の記憶手段に記憶されている波形との差分が閾値以内であれば、前記表示媒体に書き込まれていた画像が書き換えられたことを記憶する。
【０００６】
また、請求項３に係る発明は、請求項１又は２記載の構成において、前記第２の記憶手段が、各々の画像情報と、当該画像情報に応じた画像を前記表示媒体において書き換えたことを特定するか否かを表す特定可否情報とを対応付けて記憶しており、前記表示媒体に書き込まれている画像が、画像を書き換えたことを特定することを表す前記特定可否情報に対応付けて記憶されており、当該画像が書き換えられた場合には、当該画像が書き換えられたことを記憶する。
【０００７】
また、請求項４に係る発明は、請求項１〜３のいずれか１項に記載の構成において、前記表示媒体に書き込まれていた画像が書き換えられた場合に、当該画像が書き換えられたことを出力する出力手段を備える。
【０００８】
また、請求項５に係る発明は、コンピュータを、決められた波形の電圧を表示媒体に印加する印加手段と、前記表示媒体において発生した振動の波形を取得する第１の取得手段と、前記印加手段によって印加される電圧の波形に応じて決められた波形を記憶する第１の記憶手段と、前記第１の取得手段によって取得された波形と、前記第１の記憶手段に記憶されている波形との差分が閾値以内であれば、前記表示媒体に書き込まれていた画像が書き換えられたことを記憶する第２の記憶手段として機能させるためのプログラム、を提供する。
【発明の効果】
【０００９】
請求項１に係る発明によれば、表示媒体に対する電圧印加に応じた振動と、それ以外の振動とを区別することができる。
請求項２に係る発明によれば、表示媒体に対する電圧印加に応じた振動と、それ以外の振動と区別するときに、書込装置の外部の要因による振動の影響を小さくすることができる。
請求項３に係る発明によれば、表示媒体に対する電圧印加に応じた振動と、それ以外の振動とを区別する必要があるときに、その電圧印加に応じた振動と、それ以外の振動と区別することができる。
請求項４に係る発明によれば、表示媒体に対する電圧印加に応じた振動と、それ以外の振動と区別することができる。。
請求項５に係る発明によれば、表示媒体に対する電圧印加に応じた振動と、それ以外の振動とを区別することができる。
【発明を実施するための最良の形態】
【００１０】
本発明を実施するための最良の一実施形態について説明する。
（１）構成
図１は、本実施形態における、光書込型の表示媒体２００の構成を示す図である。
表示媒体２００は、画像が表示される表示領域に、フィルム基板２１０及び２７０と、透明電極２２０及び２６０と、光導電層２３０と、着色層２４０と、表示素子層２５０とを備え、照射される光に応じた表示を行う。また、表示媒体２００は、例えばＲＦＩＤ（Radio Frequency Identification）などの無線タグと呼ばれる記憶手段を備えている。この無線タグには、表示媒体２００に割り当てられた識別情報である媒体ＩＤが記憶されている。
【００１１】
この表示媒体２００においては、画像の書き換えが複数回行えるようになっている。ここでいう「画像の書き換え」とは、既に書き込まれている画像を消去する、つまり背景色の画像を表示領域の全域に書き込むまでの処理と、既に書き込まれている画像を消去した後に新たに別の画像を書き込むまでの処理の双方を含む概念である。表示媒体２００に画像を書き込んだりその画像を消去するには、透明電極２２０と透明電極２６０との間に予め決められた波形の電圧を印加した状態で光源１３２より光を照射し、電圧の印加を停止すればよい。
【００１２】
フィルム基板２１０、２７０は、表示媒体２００の表面を保護するために設けられた層である。例えば、ＰＥＴ（ポリエチレンテレフタレート）からなる。フィルム基板２１０は、この表示媒体に画像を書き込む書込装置によって光が照射される側に設けられている。フィルム基板２７０は、書き込まれた画像を使用者が観察する側に設けられている。透明電極２２０、２６０は、例えば、ＩＴＯ（酸化インジウム錫）からなる層である。透明電極２２０、２６０に接続された図示されていない電極と、書込装置側の電極とが接続された状態で、書込装置によって電極に電圧が印加されると、透明電極２２０と透明電極２６０との間に電位差が生じる。
【００１３】
光導電層２３０は、照射される光の強度に応じてその導電率を異ならせる導電体からなる層である。光導電層２３０としては、例えば、有機光導電体を用いる。着色層２４０は、表示素子層２５０が光を透過する場合に観察される層であり、あらかじめ決められた色（例えば、黒）になっている。表示素子層２５０は印加される電圧に応じて光の反射状態を異ならせる表示素子を含む層である。表示素子層２５０は、バインダー樹脂中にマイクロカプセル状のコレステリック液晶表示素子を分散させたものである。コレステリック液晶表示素子は、配向状態として、プレーナ配向状態とフォーカルコニック配向状態とになりうる。コレステリック液晶表示素子は、プレーナ配向状態の場合は光を反射（ブラッグ反射）して、あらかじめ決められた色を呈し、フォーカルコニック配向状態にある場合は光を透過して着色層２４０の色を呈する。
【００１４】
図２は、表示媒体２００に対して画像の書き込みを行う書込装置１の構成を示すブロック図である。
書込装置１は、書込ユニット１００、制御部１１０、通信部１５０、記憶部１６０、振動センサ部１７０、外乱用振動センサ部１７２、タグ情報読取部１８０及び操作部１９０を備える。制御部１１０は、ＣＰＵ（Central Processing Unit）などの演算装置やメモリなどの記憶手段を備え、書込装置１の各部の動作を制御する。この制御部１１０及び記憶部１６０は、表示媒体２００に書き込まれていた画像が書き換えられたか否かを判定する画像入力検知装置として機能する。通信部１５０は、通信回路やネットワークインタフェースからなり、この通信部に通信可能に接続された通信装置と通信を行う。記憶部１６０は、ＥＥＰＲＯＭ（Electrically Erasable and Programmable Read Only Memory）などの不揮発性の記憶手段であり、制御部１１０が実行するコンピュータプログラムや、各種画像を表す画像情報のほか、管理テーブル１６２を記憶している。、この管理テーブル１６２には、どの表示媒体２００にどのような画像が書き込まれているかとか、その画像がその表示媒体２００から消去されたか否かを管理するための情報が記述されている。タグ情報読取部１８０は、無線タグリーダであり、表示媒体２００の無線タグから、その無線タグに記憶されている情報を読み取り、制御部１１０に供給する。操作部１９０は、使用者の操作を受け付けて、その操作に応じた信号を制御部１１０に供給する。
【００１５】
書込ユニット１００は、光発生部１３０と、電圧印加部１４０とを備えている。光発生部１３０は、光源１３２を備えており、表示媒体２００に対する画像の書き込み乃至画像の書き換え時に照射する光を発生する。この光源１３２は、例えば、ライン状に配置された複数のＬＥＤと、画像を書き込む解像度に応じた範囲に各ＬＥＤの光を収束するレンズとを備えたＬＥＤアレイである。制御部１１０は、光源１３２の各ＬＥＤの明滅を制御するとともに、その光源１３２を移動させて表示媒体２００の表示面を走査させる。電圧印加部１４０は、電極１４２と、例えばバイポーラ高電圧アンプなどの昇圧手段を備えている。表示媒体２００が書込ユニット１００の所定の位置に保持されると、表示媒体２００側の電極に書込ユニット１００側の電極１４２が接触した状態となる。この状態で、電圧印加部１４０によって、電極１４２を介して表示媒体２００に電圧が印加されるようになっている。
【００１６】
ここで、図３（Ａ）は、電圧印加部１４０によって表示媒体２００に印加される電圧の波形の一例を示したものである。
同図に示す波形Ｗ１は、表示媒体２００に既に書き込まれている画像を消去するときに、表示媒体２００に印加される電圧の波形である。図に示した正の電圧Ｖ１が印加される期間は例えば３００ｍｓであり、負の電圧Ｖ２が印加される期間は例えば２００ｍｓである。このような波形Ｗ１の電圧が印加されているときに、予め決められた強度の光が光発生部１３０から表示媒体２００の全域に照射され、同一背景色の画像が表示領域全体に書き込まれることで、上記画像が消去される。
【００１７】
一方、波形Ｗ２は、画像情報に応じた画像を表示媒体２００に新たに書き込むときに、その表示媒体２００に印加される電圧の波形である。このときの正の電圧が印加される期間は例えば１０００ｍｓである。このような波形Ｗ２の電圧が印加されているときに、画像情報に応じた光が光発生部１３０から表示媒体２００に照射されて、画像が書き込まれる。
【００１８】
前述したように、表示媒体２００に用いられている表示素子層２５０には、コレステリック液晶表示素子などが使用されている。マイクロカプセル状のコレステリック液晶表示素子に電圧が印加されると、そのカプセル内に封入されている液晶分子が移動するが、このときの液晶分子の移動により、表示素子層２５０が微少に振動するという現象が生じ、この振動が表示媒体２００全体に伝わる。媒体押さえ部１２０には、加速度センサなどにより構成される振動センサ部１７０が設けられており、この振動センサ部１７０が、表示媒体２００の振動を検知し、検知した振動の波形を制御部１１０に供給する。制御部１１０はこの振動波形を取得する。つまり、制御部１１０は、照射される光に応じた表示を行う表示媒体２００において発生した振動の波形を取得する取得手段（第１の取得手段）の一例として機能する。
【００１９】
ただし、書込装置１は、例えば自装置の近傍を人が歩いたときとか、人に触られたときなどのように、書込装置１の外部の要因によって振動することもある。このため、書込装置１に設けられた振動センサ部１７０が検知した振動には、電圧印加に応じて表示媒体２００に発生した振動のほか、上記のような外乱による振動も含まれていることがある。そこで、外乱用振動センサ部１７２は、外乱による振動の影響を排除するべく、表示媒体２００の振動が極力伝わらないような、筺体１０１の一部分に設けられている。この外乱用振動センサ部１７２が検知した振動の波形は、制御部１１０に供給され、制御部１１０はこれを取得する。つまり、制御部１１０は、表示媒体２００に画像を書き込む書込装置１において発生した振動の波形を取得する取得手段（第２の取得手段）の一例として機能する。そして、制御部１１０は、振動センサ部１７０から取得した振動の波形から、外乱用振動センサ部１７２から取得した振動の波形を減算する。これにより、振動センサ部１７０により検知した振動に対する外乱による振動の影響が少なくなる。
【００２０】
ここで、図３（Ｂ）は、図３（Ａ）に示したような波形の電圧が印加されたときに、制御部１１０が算出した振動波形の一例を示している。つまり、制御部１１０が、振動センサ部１７０から取得した振動の波形から外乱用振動センサ部１７２から取得した振動の波形を減算して得た振動波形である。図３（Ａ）と図３（Ｂ）とを比較すると分かるように、表示素子層２５０に電圧が印加された場合は、表示素子層２５０は振動し、表示素子層２５０に電圧が印加されていない場合には、表示素子層２５０は振動していない。これら電圧波形と振動波形との間には或る対応関係が存在している。図の例では、電圧波形Ｗ１と振動波形ｗ１とが対応しており、電圧波形Ｗ２と振動波形ｗ２とが対応している。どのような電圧波形に対してどのような振動波形の振動が発生するかは、計算或いは実験により予め求められるので、その求めた振動波形が記憶部１６０に記憶される。本実施形態では、図３（Ｂ）に示した振動波形ｗ１が記憶部１６０に予め記憶されている。この振動波形ｗ１は、表示媒体２００に対して印加される電圧の波形に応じて決められた振動の波形の一例である。よって、記憶部１６０は、印加される電圧の波形に応じて決められた振動の波形を記憶する記憶手段（第１の記憶手段）の一例として機能する。
【００２１】
ここで、図４は、表示媒体２００を保持しているときの書込ユニット１００の側方断面図である。
書込ユニット１００の筐体１０１は、遮光性部材で構成されており、光発生部１３０および電圧印加部１４０の各構成を保持している。媒体押さえ部１２０は、表示媒体２００の上方を覆い、書込ユニット１００に対して表示媒体２００が動かないように保持する。光発生部１３０は、表示媒体２００の下方から光を照射する。媒体押さえ部１２０の、表示媒体２００に接する位置には、振動センサ部１７０が設けられている。一方、外乱用振動センサ部１７２は、表示媒体２００の振動をあまり検知しないような位置、つまり、表示媒体２００からできるだけ離れた位置において筐体１０１に固定されている。
【００２２】
（２）動作
図５は、制御部１１０が記憶部１６０に記憶されているプログラムを実行するときの処理を示すフローチャートであり、同図を参照して本実施形態の動作を説明する。なお、以下の動作開始時点においては、表示媒体２００には既に画像情報に応じた画像が書き込まれているものとする。
表示媒体２００に画像が書き込まれている状態で、使用者が操作部１９０を操作して、別の画像に書き換えるよう指示したとする。制御部１１０は、画像の書換を指示する操作があったことを検出すると（ステップＳ１；ＹＥＳ）、画像の書換処理を行う（ステップＳ２）。具体的には、制御部１１０は、電圧印加部１４０を制御し、書込ユニット１００に固定された表示媒体２００に対して、図３（Ａ）の波形Ｗ１の電圧を印加する。つまり、制御部１１０は、決められた波形の電圧を表示媒体２００に印加する印加手段の一例として機能する。これとともに、制御部１１０は、光発生部１３０を制御し、予め決められた強度の光を表示媒体２００の全域に照射させる。これにより、表示素子層２５０の液晶分子の相状態が揃えられ、同一背景色の画像が表示領域全体に書き込まれる。つまり、操作前に表示されていた画像が、背景色の画像に書き換えられることになる。このときの制御部１１０及び書込ユニット１００は、画像が書き込まれている表示媒体２００に対して、決められた波形の電圧を印加するとともに光を照射して、当該画像を書き換える書換手段の一例として機能する。次に、制御部１１０は、次に書き込むべき画像の画像情報を記憶部１６０から読み出し、図３（Ｂ）の波形Ｗ２の電圧を表示媒体２００に印加するとともに、光発生部１３０を制御し、読み出した画像情報に応じた光を表示媒体２００に照射させる。これにより、表示媒体２００には新たな画像が表示されることになる。このときの制御部１１０及び書込ユニット１００は、表示媒体２００に対して電圧を印加するとともに画像情報に応じた光を照射して、表示媒体２００に画像を書き込む書込手段の一例として機能する。
【００２３】
ステップＳ２の画像書換の処理が行われているときに、振動センサ部１７０及び外乱用振動センサ部１７２は、それぞれ振動の検出を試みている。そして、制御部１１０は、ステップＳ２の画像書き換えの処理が行われているときに、振動センサ部１７０が表示媒体２００の振動を検出したか否かを判定する（ステップＳ３）。振動センサ部１７０が表示媒体２００の振動を検出していた場合には（ステップＳ３；ＹＥＳ）、制御部１１０は、振動センサ部１７０から取得した振動の波形から、外乱用振動センサ部１７２から取得した振動の波形を減算する。そして、制御部１１０は、減算によって得られた波形が、記憶部１６０に記憶されている波形と一致するか否かを判定する（ステップＳ４）。ここでいう「一致」とは、必ずしも完全一致でなくてもよく、減算によって得られた波形と、記憶部１６０に記憶されている波形との差分が閾値以内にあればよい。この閾値は、記憶部１６０に予め記憶されているか、プログラムに記述されているので、制御部１１０はそれを参照すればよい。
【００２４】
この結果、両者が一致すれば（ステップＳ４；ＹＥＳ）、画像の書換が現実に行われたことになるから、制御部１１０は、画像書換前に表示媒体２００に表示されていた画像が消去されたことを記憶部１６０に記憶する（ステップＳ５）。
【００２５】
ここで、図６は、記憶部１６０に記憶されている管理テーブル１６２の内容の一例を示す図ある。
管理テーブル１６２には、表示媒体２００の無線タグからタグ情報読取部１８０が読み取った媒体ＩＤごとに、各画像情報にそれぞれ割り当てられた固有の画像ＩＤ、各画像情報の画像が表示媒体に書き込まれたか否かを示す書込フラグ、及び、その画像が消去されたか否かを示す消去フラグが記述されている。図６の場合、画像ＩＤ「１０００１」の画像は、書込フラグが「１」であるから、表示媒体２００に書き込まれたことがあるが、消去フラグが「０」であるから、表示媒体２００からは消去されていない、ということになる。つまり、この画像ＩＤ「１０００１」の画像は、現在、表示媒体２００に表示されている状態であることがわかる。また、画像ＩＤ「１０００２」の画像は、書込フラグが「１」であるから、表示媒体２００に書き込まれたことがあるし、また、消去フラグも「１」であるから、表示媒体２００から消去されたということになる。つまり、この画像ＩＤ「１０００２」の画像は、現在、表示媒体２００に表示されていない状態であることがわかる。また、画像ＩＤ「１０００３」の画像は、書込フラグが「０」であるから、表示媒体２００に書き込まれたこともないし、また、消去フラグも「０」であるから、表示媒体２００から消去されてもいない、ということになる。つまり、この画像ＩＤ「１０００３」の画像は、現在、表示媒体２００に表示されていない状態であることがわかる。例えば、上述のステップＳ２において、画像ＩＤ「１０００２」の画像を画像ＩＤ「１０００３」の画像に書き換えたとすると、画像ＩＤ「１０００２」に対応する書込フラグが「１」で消去フラグが「１」となり、画像ＩＤ「１０００３」に対応する書込フラグが「１」で消去フラグが「０」となる。
【００２６】
一方、ステップＳ３において振動センサ部１７０により振動が検出されなかった場合とか（ステップＳ３；ＮＯ）、ステップＳ４において、振動センサ部１７０が検出した振動の波形から外乱用振動センサ部１７２が検出した振動の波形を減算して得た波形と、記憶部１６０に記憶されている波形とが一致しなかった場合には（ステップＳ４；ＮＯ）、画像書換を指示する操作があったにも関わらず、画像が実際には書き換えられていないことになる。この場合、制御部１１０は、画像が書き換えられなかったことを、音声や画像或いは光で報知するとか、その旨の通知を管理者の通信装置に対して通信部１５０から送信するなどのエラー処理を行う（ステップＳ６）。例えば、不正の目的を持った使用者が、ゴム等の絶縁物を表示媒体２００側の電極と書込装置１側の電極１４２の間に挿入しておき、書込装置１を操作して画像書換処理を指示した場合には、表示媒体２００に電圧が印加されないので、画像が書き換えられないことになる。ただし、そのときには、ステップＳ３において振動センサ部１７０により所定の波形の振動が検出されないことになるから、制御部１１０は上述したようなエラー処理を行うことで、画像が書き換えられなかったことを通知することになる。
【００２７】
（３）変形例
上記実施形態を次のように変形してもよい。また、以下の各変形例を互いに組み合わせて実施してもよい。
（３−１）変形例１
実施形態では、制御部１１０が表示媒体２００に書き込まれている画像を別の画像に書き換える場合を例に挙げて説明したが、これに限らず、制御部１１０が表示媒体２００に書き込まれている画像を単に消去するだけ、つまり背景色の画像を表示領域全体に書き込む場合に上記実施形態の仕組みを適用してもよい。
【００２８】
（３−２）変形例２
実施形態において、制御部１１０は、表示媒体２００に書き込まれていた画像が書き換えられたと判定した場合には、その旨を管理テーブル１６２に記述していた。これに限らず、制御部１１０は、表示媒体２００に書き込まれていた画像が書き換えられたことを音声、画像又は光によって出力するとか、書込装置１と通信可能な通信装置に対して通信部１５０から画像が書き換えられたことを出力するようにしてもよい。つまり、制御部１１０は、表示媒体２００に書き込まれていた画像が書き換えられたことを記憶する第２の記憶手段の一例として機能するほか、表示媒体２００に書き込まれていた画像が書き換えられたことを出力する出力手段の一例として機能する。
【００２９】
（３−３）変形例３
実施形態では、制御部１１０は全ての画像情報の画像について、画像書き換えの判定を行っていたが、これに限らず、特定の画像情報の画像について画像書き換えの判定を行うようにしてもよい。画像が書き換えられたかどうかを特定する対象となる画像は、例えば機密性の高い画像とか、プライバシーに関する画像とか、不特定の人に見られたくない画像というように、一定範囲の画像に限定される場合も考えられる。そこで、管理テーブル１６２において、制御部１１０は、この種の画像の画像情報に対応付けて、その画像が表示媒体２００において書き換えられたことを特定するか否かを表す特定可否情報を予め記述しておく。どの画像情報にどのような特定可否情報を対応付けるかは、使用者が操作部１９０を操作して指定してもよいし、画像情報の作成者、作成日、付記コメントなどの属性に応じて制御部１１０が判定してもよい。そして、制御部１１０は、表示媒体２００に書き込まれている画像が、画像を書き換えたことを特定することを表す特定可否情報に対応付けられている場合には、当該画像が書き換えられたことを出力又は記憶する。
【００３０】
（３−４）変形例４
実施形態では、制御部１１０が、図３（Ａ）に示した画像消去時の電圧波形に応じた振動を検出して画像の書換の有無を判定していたが、次のようにしてもよい。
制御部１１０は、図３（Ａ）に示した波形の電圧に代えて、図７に示すような、予め決められた波形の電圧を表示媒体に印加する。
ここで、図７に示す波形には、図３（Ａ）に示した波形Ｗ１と波形Ｗ２との間に、波形Ｗ３がある。この波形Ｗ３は、高周波数の交流波形であるから、このような波形Ｗ３の電圧が印加されると、表示媒体２００における液晶分子の振動の周波数も高くなり、表示媒体２００の振動周波数も高くなる。よって、波形Ｗ３の電圧印加に応じた振動と、それ以外の振動と区別しやすくなる。この場合、記憶部１６０には、波形Ｗ３に応じて実験或いは計算により決められた振動波形が記憶されている。要するに、記憶部１６０は、印加される電圧の波形に応じて決められた振動の波形を記憶していればよい。
この波形Ｗ３の電圧印加期間において画像が書き換えられるわけではないが、画像を消去するための波形Ｗ１の直後に、この波形Ｗ３の電圧が印加されるから、波形Ｗ３に対応する振動がされたときには、画像が書き換えられたとみなしてもよい。よって、制御部１１０は、波形Ｗ３の電圧を表示媒体２００に印加させ、振動センサ部１７０から取得した振動の波形と、記憶部１６０に記憶されている振動の波形との差分が閾値以内であれば、表示媒体２００に書き込まれていた画像が書き換えられたことを出力又は記憶する。
【００３１】
（３−５）変形例５
画像が書き換えられたか否かを判定する根拠として、表示媒体２００の振動に加えて、その他の根拠を併用するようにしてもよい。例えば、表示媒体２００に対する電圧印加により、表示素子層２５０の液晶分子が振動するときに、小さな音が発生することがある。そこで、書込装置１に収音手段を設けておき、制御部１１０は、収音手段によって収音された音と記憶部１６０に記憶されている音と比較して、両者の差分が閾値以内である場合には、画像が書き換えられたと判定するようにしてもよい。また、表示媒体２００への電圧印加時には、表示媒体２００に電流が流れるから、制御部１１０は、電流検知手段によりその電流を検知することにより、画像が書き換えられたと判定するようにしてもよい。
【００３２】
（３−６）変形例６
実施形態では、人の移動等の外部要因による振動の影響を考慮していたが、このような外部要因による振動の影響が無いとか無視できるような場合には、外乱用振動センサ部１７２を除いた構成としてもよい。
振動センサ部１７０や外乱用振動センサ部１７２の位置は、図４に例示したものに限らない。例えば、振動センサ部１７０は電極１４２の近傍の位置でもよい。
【００３３】
（３−７）変形例７
実施形態では、コレステリック液晶表示素子を備える光書込型の表示媒体を用いていたが、表示媒体の種類は、これに限らず、電圧印加時に振動が発生するようなものであれば、どのようなものでもよい。例えば、図８に示すような電気泳動型の表示媒体であってもよい。図８において、表示媒体１５２は、第１基板１５２１、第２基板１５２２、電気泳動素子Ｐおよびバインダ１５２３により構成されている。図８においては、上方向が表示面の表面側であり、下方向が裏面側である。表示媒体１５２は、利用者によって表面側の例えば矢線Ｖの方向から視認される。第１基板１５２１は、例えばガラス基板であり、その上方の表面には複数の画素電極ＰＥが規則的な格子状に配列されている。この画素電極ＰＥは、例えば低温ポリシリコン膜を用いたＴＦＴで形成されたアクティブマトリックス型素子である。また、第１基板１５２１に対向する第２基板１５２２は、例えばポリエチレンテレフタラート（Polyethylene terephthalate）などの透明な樹脂基板であり、その下方には、例えば酸化インジウムスズ（ＩＴＯ：Indium Tin Oxide）などの透明な共通電極ＣＥが設けられている。複数の画素電極ＰＥと共通電極ＣＥの間には、複数の電気泳動素子Ｐが、光透過性を有するバインダ１５２３により固定されている。この電気泳動素子Ｐは、例えば、約数十ミクロン程度の大きさで略球状である。電気泳動素子Ｐの内部には、例えばプラス（＋）に帯電した黒色顔料粒子およびマイナス（−）に帯電した白色顔料粒子を含む、液体の分散媒が封入されている。黒色顔料粒子および白色顔料粒子の位置は、外部から与えられる電界により規定され、さらに分散媒により安定的に維持される。
【００３４】
（３−８）変形例８
制御部１１０が実行するプログラムは、コンピュータを、決められた波形の電圧を表示媒体に印加する印加手段と、前記表示媒体において発生した振動の波形を取得する第１の取得手段と、前記印加手段によって印加される電圧の波形に応じて決められた波形を記憶する第１の記憶手段と、前記第１の取得手段によって取得された波形と、前記第１の記憶手段に記憶されている波形との差分が閾値以内であれば、前記表示媒体に書き込まれていた画像が書き換えられたことを記憶する第２の記憶手段として機能させるためのプログラムである。このプログラムは、磁気テープ、磁気ディスク、フレキシブルディスク、光記録媒体、光磁気記録媒体、ＣＤ（Compact Disk）、ＤＶＤ（Digital Versatile Disk）、ＲＡＭなどの記録媒体に記録した状態で提供し得る。また、図５に示した各処理は、制御部１１０のＣＰＵ以外の構成、例えば専用のプロセッサなどが行ってもよい。
【図面の簡単な説明】
【００３５】
【図１】実施形態に係る表示媒体の構成を示す説明図である。
【図２】実施形態に係る書込装置の構成を示すブロック図である。
【図３】（Ａ）電圧の波形の一例を示す図であり、（Ｂ）振動の波形の一例を示す図である。
【図４】実施形態に係る書込ユニットの構成を示す説明図である。
【図５】実施形態に係る処理の一例を示すフローチャートである。
【図６】実施形態に係る管理テーブルの一例を示す図である。
【図７】電圧の波形の一例を示す図である。
【図８】変形例に係る表示媒体の構成を示す説明図である。
【符号の説明】
【００３６】
１…書込装置、１００…書込ユニット、１１０…制御部、１３０…光発生部、１３２…光源、１４０…電圧印加部、１４２…電極、１５０…通信部、１６０…記憶部、１６２…管理テーブル、１７０…振動センサ部、１７２…外乱用振動センサ部、２００…表示媒体、１０１…筺体、１２０…媒体押さえ部
【図１】
2010078913.tif 000003
【図２】
2010078913.tif 000004
【図３】
2010078913.tif 000005
【図４】
2010078913.tif 000006
【図５】
2010078913.tif 000007
【図６】
2010078913.tif 000008
【図７】
2010078913.tif 000009
【図８】
2010078913.tif 000010